(57)【要約】【課題】比較的低コストにて河川の水位異常を水門の管理者へ迅速かつ確実に通報できるようにした河川の異常水位通報システムを提供する。【解決手段】水門を管理する管理センター１に水門管理用の管理コンピュータ２を設置する。この管理コンピュータ２には水門管理者への通報用の通報装置４を備え、かつ管理コンピュータ２の記憶装置７には河川の指定水位、警戒水位、危険水位、及び計画高水位などの各設定水位を予め登録しておく。そして、管理コンピュータ２は官公庁などからインターネット回線網６を介して配信されるリアルタイムの河川水位値を定期的に取り込んで各設定水位と比較し、もし河川水位値が何れかの設定水位を超過していれば、通報装置４を介して各水門の管理者が所有する携帯電話９などへ直ちに通報して注意を促す。【選択図】　図１
2004132110.tif 000002
【特許請求の範囲】
【請求項１】
河川に設置される少なくとも一基以上の水門を管理対象とする管理センターに水門管理用の管理コンピュータを設置し、該管理コンピュータには緊急時における水門管理者への通報用の通報装置を備え、かつ管理コンピュータの記憶装置には河川の指定水位、警戒水位、危険水位、及び計画高水位などの各設定水位を予め登録しておき、前記管理コンピュータは官公庁などからインターネットを介して配信されるリアルタイムの河川水位値を定期的に取り込んで前記記憶装置に記憶すると共に、記憶した河川水位値を前記各設定水位と比較し、もし河川水位値が何れかの設定水位を超過していれば前記通報装置を介して各水門の管理者が所有する携帯電話や固定電話へ自動的に通報を行うように構成したことを特徴とする河川の異常水位通報システム。
【請求項２】
前記通報は、河川水位値が前記各設定水位のうち何れの設定水位を超過したかが判別可能な警告メッセージを通報するようにしたものであることを特徴とする請求項１記載の河川の異常水位通報システム。
【発明の詳細な説明】
【０００１】
【発明の属する技術分野】
本発明は、河川の異常水位を遠隔地の水門管理者に対して自動的に通報する河川の異常水位通報システムに関する。
【０００２】
【従来の技術】
河川に設置されている比較的小型の水門や樋門などの管理はそれぞれ地元の水利組合から選出された管理者に一任されており、この管理者は定期的に、或いは降雨などによる河川水位の変動が予測されるときには随時水門まで赴き、目視などで河川水位を実際に確認し、必要に応じて水門の開閉や開度調整などの諸操作を行って河川水位を適宜調節している場合が多い。
【０００３】
ところで、前記水門の管理者の多くは通常他の職業に就いているのが普通であり、いつでも水門まで赴けるというわけではないため、例えば、突発的な豪雨などで急激に河川の水位が上昇したとしてもそれに気付くのが遅れてしまったり、また台風や嵐などの場合には激しい風雨の中を頻繁に水門まで赴いて何度も水位を確認する必要があるため、水門管理者に対する負担が非常に大きいといった問題を有していた。
【０００４】
このような問題に対し、本出願人は、河川に設置した水門や樋門近傍に河川の水位計測用の水位センサを備え、この水位センサにて河川の水位を常時計測するようにし、もし水位センサが異常水位を検出すれば水門の管理者が所有する携帯電話や固定電話に対して自動的に通報を行うようにしたシステムを既に出願済みである（特開２００２−１９００７９）。このシステムによれば、管理者は通報を受けたときにだけ水門へと赴けばよく、管理者の負担を大幅に減じることができると共に、河川の水位異常をリアルタイムにかつ確実に把握することができ、水門管理者は迅速で的確な対応をとることができる。
【０００５】
【発明が解決しようとする課題】
しかしながら、上記システムにあっては、水位センサ、通報装置、及び携帯電話などの各装置を、管理しようとする水門や樋門の数だけ用意する必要があり、システムを構築するにあたってある程度のコストを要するため、ごく小規模の水門や桶門に対しては現実的に採用することが難しい場合がある。
【０００６】
本発明は上記の点に鑑み、比較的低コストにて河川の水位異常を水門の管理者へ迅速かつ確実に通報できるようにした河川の異常水位通報システムを提供することを課題とする。
【０００７】
【課題を解決するための手段】
本発明は上記の課題を解決するために、請求項１記載の河川の異常水位通報システムにあっては、河川に設置される少なくとも一基以上の水門を管理対象とする管理センターに水門管理用の管理コンピュータを設置し、該管理コンピュータには緊急時における水門管理者への通報用の通報装置を備え、かつ管理コンピュータの記憶装置には河川の指定水位、警戒水位、危険水位、及び計画高水位などの各設定水位を予め登録しておき、前記管理コンピュータは官公庁などからインターネットを介して配信されるリアルタイムの河川水位値を定期的に取り込んで前記記憶装置に記憶すると共に、記憶した河川水位値を前記各設定水位と比較し、もし河川水位値が何れかの設定水位を超過していれば前記通報装置を介して各水門の管理者が所有する携帯電話や固定電話へ自動的に通報を行うように構成したことを特徴としている。
【０００８】
また、請求項２記載の河川の異常水位通報システムにあっては、前記通報は、河川水位値が前記各設定水位のうち何れの設定水位を超過したかが判別可能な警告メッセージを通報するようにしたものであることを特徴としている。
【０００９】
【発明の実施の形態】
本発明に係る請求項１記載の河川の異常水位通報システムによれば、先ず、管理センターに設置した管理コンピュータの記憶装置に、管理対象である河川に定められている指定水位、警戒水位、危険水位、及び計画高水位などの各設定水位を予め登録しておく。また、管理コンピュータに備えた通報装置には、各水門や樋門の管理者が所有する携帯電話や固定電話の電話番号、或いはメールアドレスなどを予め登録しておく。一方、官公庁などから、例えば、平成１４年１０月現在において、国土交通省から各河川毎のリアルタイムの河川水位値がインターネットを介して配信されており、このうち対象河川の河川水位値だけを定期的に、例えば、３０分間隔で管理コンピュータにダウンロードさせて記憶装置に記憶させていく。そして、こうして取得した河川水位値と、予め登録しておいた指定水位、警戒水位、危険水位、及び計画高水位などの各設定水位とを比較する。このとき、もし河川水位値が何れかの設定水位を超過しているようであれば、直ちに通報装置より各管理者の携帯電話などへ音声やメールなどによる通報を行い、水門管理者に対して河川の水位異常を知らせて注意を促す。
【００１０】
このように、本発明のシステムであれば、官公庁などから無料で配信されている河川水位情報を利用し、管理対象である複数の水門や樋門を管理センターにて一括して管理するので、各水門や樋門毎に水位センサや通報装置などを用意する必要はなく、比較的低廉なコストにてシステムを構築することができ、ごく小規模な水門や樋門などに対しても無理なく採用することができる。
【００１１】
また、請求項２記載の河川の異常水位通報システムによれば、管理コンピュータに備えた通報装置には、河川水位値が何れの設定水位を超過したかに応じ、それぞれの状況に即した警告メッセージを音声データ、または文字データなどで予め登録しておく。そして、実際に河川水位値が各設定水位のうち何れかの設定水位を超過したときには、現状に応じた警告メッセージを選択し、それを管理者の携帯電話などへ音声通報、或いはメール送信する。一方、これらの通報を受けた管理者側では、河川水位の現状を明確に把握することができるため、最も適した対応を迅速に行うことが可能となる。
【００１２】
【実施例】
以下、本発明の実施例を図面に基づいて説明する。
【００１３】
図中の１は河川に設置された複数の水門や樋門を管理対象とする管理センターであり、該管理センター１内部には水門管理用の管理コンピュータ２を設置している。また、前記管理コンピュータ２には通信用のインターフェース３を介し、緊急時における水門管理者への通報用の通報装置４を接続している。
【００１４】
５は国土交通省がインターネットを介して一般に配信している全国の一級河川の水位情報であって、各河川に設置している水位計からのリアルタイムの河川水位値をｉモード対応のデジタルデータにて配信している。６はインターネット回線網であり、前記管理コンピュータ２はこのインターネット回線網６を介し、前記河川水位情報５から管理対象の河川の河川水位値を定期的に、例えば３０分乃至数時間間隔でダウンロードし、取り込んだ河川水位値をコンピュータ内蔵のハードディスク装置などの記憶装置７に記憶するようにしている。
【００１５】
また、前記記憶装置７には、管理対象の水門や樋門が設置されている河川に設定されている指定水位、警戒水位、危険水位、及び計画高水位などの各設定水位を予め記憶登録しており、管理コンピュータ２では、取り込んだ河川水位値とこれらの各設定水位を比較し、もし河川水位値が何れかの設定水位を超過しているようであれば水門管理者に対して自動的に通報を行うようにしている。
【００１６】
一方、前記通報装置４には、水門管理者への通報用の警告メッセージを予め登録している。この警告メッセージは、音声データ、或いは文字データの何れでも良いが、河川水位値が上記各設定水位のうち何れの設定水位を超過したかが少なくとも判別できるような、例えば、「河川水位値が警戒水位を超えました！」といった程度の内容で、各状況に即したものをそれぞれ用意するのが好ましい。そして、管理コンピュータ２では、河川水位値が超過した設定水位に応じて個別の識別信号を通報装置４に送信するようにし、この識別信号を受信した通報装置４では、その識別信号に応じた警告メッセージを選択し、公衆回線網８を介して各水門の水門管理者の所有する携帯電話９や固定電話に向けて音声通報、或いはメール送信を行うように構成している。
【００１７】
次に、河川の異常水位通報システムの各種処理の流れを図２のフローチャートに基づいて説明する。なお、図中のＳ１〜Ｓ９は各処理手順のステップを表す。
【００１８】
先ず、管理センター１の管理コンピュータ２に備えた記憶装置７に、管理対象の水門や樋門の設置されている河川に定められている指定水位、警戒水位、危険水位、及び計画高水位などの各設定水位を予め登録する（Ｓ１）。また、通報装置４には、河川水位値が何れの設定水位を超過したかに応じ、それぞれに即した警告メッセージを入力して登録する（Ｓ２）。そして、管理センター１の管理コンピュータ２は、官公庁などからリアルタイムで配信されている河川水位情報５より、インターネット回線網６を介し、定期的に対象となる河川の河川水位値をダウンロードして取り込み（Ｓ３）、この河川水位値を逐次管理コンピュータ２の記憶装置７に記憶させる（Ｓ４）。
【００１９】
次に、この最新の河川水位値を記憶装置７より読み出し、予め登録しておいた指定水位、警戒水位、危険水位、及び計画高水位などの各設定水位と比較し（Ｓ５）、河川水位値が各設定水位を超過していないかどうか判断し（Ｓ６）、河川水位値が何れの設定水位も超過していなければＳ２に戻り、所定時間経過後、再度河川水位値をダウンロードして取り込む一方、もし河川水位値が何れかの設定水位を超過しているようであれば、その状況に即した識別信号を通報装置４に送信し（Ｓ７）、通報装置４は受信した識別信号に応じて警告メッセージを選択し（Ｓ８）、各水門管理者の携帯電話９などへ通報を行う（Ｓ９）。
【００２０】
このようにして、通報を受けた各水門管理者は、それぞれの管理する水門が設置されている河川の水位が注意、或いは警戒を要する状態になれば直ちに認識できると共に、河川の現状を明確に把握でき、それに即した対応を迅速にかつ的確に行うことができる。
【００２１】
【発明の効果】
以上のように本発明に係る請求項１記載の河川の異常水位通報システムによれば、河川に設置される少なくとも一基以上の水門を管理対象とする管理センターに水門管理用の管理コンピュータを設置し、該管理コンピュータには緊急時における水門管理者への通報用の通報装置を備え、かつ管理コンピュータの記憶装置には河川の指定水位、警戒水位、危険水位、及び計画高水位などの各設定水位を予め登録しておき、前記管理コンピュータは官公庁などからインターネットを介して配信されるリアルタイムの河川水位値を定期的に取り込んで前記記憶装置に記憶すると共に、記憶した河川水位値を前記各設定水位と比較し、もし河川水位値が何れかの設定水位を超過していれば前記通報装置を介して各水門の管理者が所有する携帯電話や固定電話へ自動的に通報を行うように構成したので、河川に設置されている水門や樋門のそれぞれに水位センサや通報装置などの機器を用意する必要がなく、比較的低廉なコストにてシステムを構築することができ、ごく小規模な水門や樋門などに対しても無理なく採用することができる。
【００２２】
また、請求項２記載の河川の異常水位通報システムによれば、前記通報は、河川水位値が前記各設定水位のうち何れの設定水位を超過したかが判別可能な警告メッセージを通報するようにしたものであるので、通報を受けた管理者側では、河川水位の現状を明確に把握することができるため、最適な対応を迅速に行うことが可能となる。
【図面の簡単な説明】
【図１】本発明に係る河川の異常水位通報システムの一実施例を示す概略構成図である。
【図２】本発明に係る河川の異常水位通報システムの処理の流れを示すフローチャートである。
【符号の説明】
１…管理センター　　　　　　　　２…管理コンピュータ
３…インターフェース　　　　　　４…通報装置
５…河川水位情報　　　　　　　　６…インターネット回線網
７…記憶装置　　　　　　　　　　８…公衆回線網
９…携帯電話、固定電話
【図１】
2004132110.tif 000003
【図２】
2004132110.tif 000004